(57)【要約】【課題】ユーザ所望の正確な情報提供に優れた情報送受信システムを提供すること。【解決手段】情報送受信システムは、情報記憶媒体（ＩＣカード）から識別情報を読み取る読取手段（２０２）と、前記読取手段により読み取られた識別情報に基づき情報送信先アドレスを検索する検索手段（３０１、３０２）と、前記検索手段により検索された情報送信先アドレスに対して前記情報記憶媒体の利用情報を送信する情報送信手段（３０４）と、前記情報送信手段により送信された利用情報を受信する受信手段（４０１）と、前記受信手段により受信された利用情報に基づき、予め格納したプログラムにより各種情報を生成し出力する情報出力手段（４０３、４０５）とを備えている。【選択図】      図１
2006039864.tif 000002
【特許請求の範囲】
【請求項１】
情報記憶媒体から識別情報を読み取る読取手段と、
前記読取手段により読み取られた識別情報に基づき情報送信先アドレスを検索する検索手段と、
前記検索手段により検索された情報送信先アドレスに対して前記情報記憶媒体の利用情報を送信する情報送信手段と、
前記情報送信手段により送信された利用情報を受信する受信手段と、
前記受信手段により受信された利用情報に基づき、予め格納したプログラムにより各種情報を生成し出力する情報出力手段と、
を備えたことを特徴とする情報送受信システム。
【請求項２】
情報記憶媒体から識別情報及び改札判定必要情報を読み取る読取手段と、
前記読取手段により読み取られた改札判定必要情報に基づき改札処理を行なう改札手段と、
前記読取手段により読み取られた識別情報に基づき情報送信先アドレスを検索する検索手段と、
前記検索手段により検索された情報送信先アドレスに対して、前記情報記憶媒体が改札処理を受けた入場駅を示す入場情報を送信する情報送信手段と、
前記情報送信手段により送信された入場情報を受信する受信手段と、
前記受信手段により受信された入場情報に基づき、予め格納したアプリケーションプログラムにより入場駅から複数の駅までの運賃及び所要時間のうちの少なくとも一方を示す情報を生成し出力する情報出力手段と、
を備えたことを特徴とする情報送受信システム。
【請求項３】
運賃として利用可能な金額情報を記憶した情報記憶媒体から識別情報及び改札判定必要情報を読み取る読取手段と、
前記読取手段により読み取られた改札判定必要情報に基づき改札処理を行なう改札手段と、
前記読取手段により読み取られた識別情報に基づき情報送信先アドレスを検索する検索手段と、
前記検索手段により検索された情報送信先アドレスに対して、前記情報記憶媒体が改札処理を受けた入場駅を示す入場情報及び情報記憶媒体に記憶された金額情報を送信する情報送信手段と、
前記情報送信手段により送信された入場情報及び金額情報を受信する受信手段と、
前記受信手段により受信された入場情報及び金額情報に基づき、予め格納したアプリケーションプログラムにより入場駅から複数の駅までの運賃及び所要時間を示す情報を生成し、さらに入場駅から複数の駅までの運賃に対する金額情報の過不足を示す情報を生成し、これら情報を出力する情報出力手段と、
を備えたことを特徴とする情報送受信システム。
【請求項４】
情報記憶媒体の利用情報を受信する受信手段と、
前記受信手段により受信された利用情報に基づき、予め格納したプログラムにより各種情報を生成する生成手段と、
前記生成手段により生成された情報を出力する情報出力手段と、
を備えたことを特徴とする情報出力端末。
【請求項５】
情報記憶媒体が改札処理を受けた入場駅を示す入場情報を受信する受信手段と、
前記受信手段により受信された入場情報に基づき、予め格納したアプリケーションプログラムにより入場駅から複数の駅までの運賃及び所要時間のうちの少なくとも一方を示す情報を生成する生成手段と、
前記生成手段により生成された情報を出力する情報出力手段と、
を備えたことを特徴とする情報出力端末。
【請求項６】
情報記憶媒体が改札処理を受けた入場駅を示す入場情報、及び情報記憶媒体に記憶された金額情報を受信する受信手段と、
前記受信手段により受信された入場情報及び金額情報に基づき、予め格納したアプリケーションプログラムにより入場駅から複数の駅までの運賃及び所要時間を示す情報を生成し、さらに入場駅から複数の駅までの運賃に対する金額情報の過不足を示す情報を生成する生成手段と、
前記生成手段により生成された情報を出力する情報出力手段と、
を備えたことを特徴とする情報出力端末。
【発明の詳細な説明】
【技術分野】
【０００１】
本発明は、インターネット接続環境を持つＰＣや携帯電話などの端末を利用した情報送受信システムに関する。また、これらＰＣや携帯電話などの情報出力端末に関する。
【背景技術】
【０００２】
例えば鉄道などの交通機関において、近年、改札処理の省力化を目的として、自動改札機が設置されている。自動改札機は、普通券、定期券、ＳＦ（Stored Fare）カードなどの磁気券を受け取り、磁気券に記録された情報を読み取り改札可否を判定し、改札通路を通過する人物の通行を制御する。さらに最近は、磁気の定期券やＳＦカードの替わりに、ＩＣ化された定期券やＳＦカードが登場している。
【０００３】
電車に乗車する際に切符を買って乗車する時には、切符を買う前に駅の路線図を見て目的地までの運賃を確認して切符を購入する。しかし、ＳＦ機能を搭載したＩＣカードを使って乗車する時は、切符を購入する必要がない為、前もって目的地までの運賃を確認しないで乗車する場合が多い。駅の自動改札機を通過した後は路線の運賃案内板を置いてある駅はほとんどなく、自動改札機の通過後には運賃を確認することが簡単に出来ない。よって、目的地の駅の自動改札機を通過するまで運賃が足りているかどうか分からない。
【０００４】
例えば、携帯電話を利用し、携帯電話の基地局から現在位置を把握し、乗車区間等に関する情報を表示する技術が開示されている（特許文献１参照）。
【特許文献１】特公平９−４４７５４号公報
【発明の開示】
【発明が解決しようとする課題】
【０００５】
しかしながら、上記特許文献１に記載された技術では、携帯電話の基地局から現在位置を把握するため、あくまでも目安となる情報しか提供できない。よって、ユーザは、正確な情報、例えば目的地（駅）までの運賃、所要時間、金額情報の過不足などの情報提供を受けることはできない。
【０００６】
本発明の目的は、上記課題を解決するためになされたものであり、ユーザ所望の正確な情報提供に優れた情報送受信システムを提供することにある。また、本発明の目的は、ユーザ所望の正確な情報出力に優れた情報出力端末を提供することにある。
【課題を解決するための手段】
【０００７】
この発明の情報送受信システム及び情報出力端末は、以下のように構成されている。
【０００８】
（１）この発明の情報送受信システムは、情報記憶媒体から識別情報を読み取る読取手段と、前記読取手段により読み取られた識別情報に基づき情報送信先アドレスを検索する検索手段と、前記検索手段により検索された情報送信先アドレスに対して前記情報記憶媒体の利用情報を送信する情報送信手段と、前記情報送信手段により送信された利用情報を受信する受信手段と、前記受信手段により受信された利用情報に基づき、予め格納したプログラムにより各種情報を生成し出力する情報出力手段とを備えている。
【０００９】
（２）この発明の情報出力端末は、情報記憶媒体の利用情報を受信する受信手段と、前記受信手段により受信された利用情報に基づき、予め格納したプログラムにより各種情報を生成する生成手段と、前記生成手段により生成された情報を出力する情報出力手段とを備えている。
【発明の効果】
【００１０】
本発明によれば、ユーザ所望の正確な情報提供に優れた情報送受信システムを提供できる。また、本発明によれば、ユーザ所望の正確な情報出力に優れた情報出力端末を提供できる。
【発明を実施するための最良の形態】
【００１１】
以下、本発明の実施の形態について図面を参照して説明する。
【００１２】
図１は、本発明の一例に係る情報送受信システムの一例を示す図である。以下、本発明の情報送受信システムを改札処理システムに適用した例について説明する。
【００１３】
図１に示すように、情報送受信システムは、ＩＣカード（情報記憶媒体）１、自動改札機２、メール配信サーバ３、端末４により構成される。
【００１４】
ＩＣカード１は、ＩＣチップ１０１及びアンテナ１０２を備えている。ＩＣチップ１０１は、ＩＣカードの識別情報（ＩＤ）及び改札判定必要情報を記憶する。改札判定必要情報とは、例えば入出場履歴、有効乗車区間情報、有効乗車期限情報、運賃として利用可能な金額情報（残額情報）である。アンテナ１０２は、自動改札機２に対して識別情報及び改札判定必要情報を送信したり、自動改札機２から入出場履歴を受信したりする。
【００１５】
自動改札機２は、改札処理部２０１、ＩＣカード用アンテナ２０２、通信部２０３を備えている。ＩＣカード用アンテナ２０２は、ＩＣカード１から送信される識別情報及び改札判定必要情報を受信する。つまり、ＩＣカード用アンテナ２０２は読取手段として機能する。改札処理部２０１は、ＩＣカード用アンテナ２０２により受信された改札判定必要情報に基づき改札の可否を判定し、改札通路の通行を阻止するドアの開閉を制御する。つまり、改札処理部２０１は、改札手段として機能する。サーバ通信部２０３は、ＩＣカード用アンテナ２０２により受信された識別情報をメール配信サーバ３へ送信する。
【００１６】
メール配信サーバ３は、メール配信制御部３０１、メール配信先情報記憶部３０２、改札機用通信部３０３、端末用通信部３０４を備えている。メール配信制御部３０１は、インターネット等を経由して、メール送信先アドレスの設定登録を受信する。例えば、メール配信制御部３０１は、ＩＣカードの利用者情報（氏名、電話番号など）と共にメール送信先アドレスを受信する。メール配信先情報記憶部３０２は、予め発行済みのＩＣカードの識別情報と利用者情報とを記憶している。メール配信制御部３０１により利用者情報と共にメール送信先アドレスが受信されると、メール配信先情報記憶部３０２は、該当の利用者情報に対応付けてメール送信先アドレスを登録する。つまり、メール配信先情報記憶部３０２は、ＩＣカードの識別情報、利用者情報、及びメール送信先アドレスを対応付けて管理する。改札機用通信部３０３は、自動改札機２から送信される情報を受信する。端末用通信部３０４は、端末に対して情報を送信する。これら改札機用通信部３０３及び端末用通信部３０４により送受信される情報については、以下の詳細に説明する。
【００１７】
端末４は、通信部４０１、操作入力部４０２、表示部４０３、アプリケーション記憶部４０４、アプリケーション実行部４０５を備えている。端末４は、例えば、インターネット接続環境を持つＰＣ、ＰＤＡ、及び携帯電話（ＰＨＳ含む）などである。端末４は、通信部４０１を介してアプリケーションプログラム提供サーバに接続し、所望のアプリケーションプログラムをダウンロード（例えば有料）することができる。アプリケーション記憶部４０４は、ダウンロードされたアプリケーションプログラムを記憶する。アプリケーション実行部４０５は、アプリケーション記憶部４０４に記憶されたアプリケーションプログラムを実行する。
【００１８】
図２は、メール配信サーバ３に対してメール送信の一時停止や再開を設定する画面の一例を示す図である。図２に示すように、画面上には、ＩＣカードの利用者情報の一つである名前を入力する項目（さらに電話番号を入力する項目があってもよい）、ＩＣカードの識別情報（定期券番号）を入力する項目、送信先アドレス（メールアドレス）を入力する項目が表示され、さらにはメール送信の停止又は解除を指定する項目が表示される。
【００１９】
図３は、メール配信サーバ３のメール配信先情報記憶部３０２により管理されるメール配信先情報（メールアドレス登録テーブル）の一例を示す図である。図３に示すように、ＩＣカードの識別情報（ＩＤ）、メール送信先アドレス（メールアドレス）、サービス利用状態（メール送信のＯＮ／ＯＦＦ）が管理される。図３には示されていないが、さらに利用者情報（氏名、電話番号）も併せて管理している。
【００２０】
次に、図４及び図５に示すフローチャートを参照して、図１に示す情報送受信システムによる情報の送受信処理について説明する。図４は、自動改札機とメール配信サーバとの間の情報の送受信を示すフローチャートである。図５は、メール配信サーバと端末との間の情報の送受信を示すフローチャートである。
【００２１】
図４に示すように、ＩＣカードの利用により情報送受信処理がスタートする。例えば、利用者によりＩＣカード１が自動改札機２へ投入されたり、或いは自動改札機２のアンテナ付近に翳されたりすると、ＩＣカード１と自動改札機２との間の通信が確立する。これにより、ＩＣカード１のアンテナ１０２から自動改札機２のＩＣカード用アンテナ２０２に対して、識別情報及び改札判定必要情報が送信され、改札処理が実行される（ＳＴ１０１）。つまり、自動改札機２の改札処理部２０２は、改札判定必要情報に基づき改札の可否を判定する。自動改札機２の改札処理部２０２により改札が許可されると、自動改札機２の通信部２０３は、ＩＣカードの識別情報、入出場履歴情報（今回の入出場履歴含む）、及び金額情報（残額情報）を１レコードとしてメール配信サーバ３へ送信する（ＳＴ１０２）。入出場履歴情報とは、入場駅及び入場時刻等の情報を含む入場情報、又は出場駅及び出場時刻等の情報を含む出場情報である。図６は、自動改札機２の通信部２０３がメール配信サーバ３へ送信する情報テーブルの一例を示す図である。なお、通勤ラッシュ時などで自動改札機２の処理能力に余裕が無い場合は、複数レコードを一括してメール配信サーバ３へ送信する。
【００２２】
メール配信サーバ３は、改札機用通信部３０３を介して、ＩＣカードの識別情報、入出場履歴情報、及び金額情報（残額情報）を受信する（ＳＴ２０１）。メール配信サーバ３のメール配信制御部３０１は、自動改札機２から送信されたＩＣカードの識別情報に基づき、メール配信先情報記憶部３０２に記憶されたメール送信先アドレスを検索し、該当アドレスへメールを送信する（ＳＴ２０２）。つまり、メール配信サーバ３は、端末用通信部３０４を介して端末４に対してＩＣカード４の入出場履歴情報及び金額情報を示すメールを送信する。
【００２３】
端末４は、通信部４０１を介して、メール配信サーバ３から送信されるＩＣカード４の入出場履歴情報及び金額情報を示すメールを受信する（ＳＴ３０１）。このメールの受信に対応して、アプリケーション実行部４０５はアプリケーション記憶部４０４に記憶された運賃検索アプリケーションを起動する（ＳＴ３０２）。運賃検索アプリケーションは、受信した入出場履歴情報に含まれる入場情報に基づき（つまり入場駅を起点として）、複数の駅までの運賃及び所要時刻を演算し、複数の駅までの運賃及び所要時刻を示す情報を生成し、表示部４０３に表示する（ＳＴ３０３）。このとき、運賃検索アプリケーションは、受信したＩＣカードの金額情報に基づき、運賃の過不足を示す情報も生成し、表示部４０３に表示する。
【００２４】
図７は、端末４の表示部４０３における路線選択画面の表示例を示す図である。例えば、端末４が受信した入出場履歴情報により入場駅としてＡ駅が示され、金額情報により残額として１５０円が示されている場合には、図７に示すように、乗車駅：Ａ、残額：１５０円が表示され、さらに、入場駅（Ａ駅）から複数路線への乗車が可能であるため、路線選択項目（Ｘ線、Ｙ線、Ｚ線）が表示される。１画面上で全ての路線が表示出来ない場合は、上下に画面をスクロールし別路線の路線選択項目を表示することができる。
【００２５】
図８は、端末４の表示部４０３における運賃案内画面の表示例を示す図である。運賃案内画面には、入場駅（Ａ駅）から複数駅（Ｂ、Ｃ、Ｄ、Ｅ、…）までの運賃及び所要時間、さらには各駅までの運賃の過不足の情報が表示される。例えば、運賃不足については、他の案内の表示色と異なる表示色で案内する。また、上下に画面をスクロールしさらに遠方の駅までの運賃及び所要時間を表示することができる。なお、図７に示す路線選択画面上に表示されている所定の路線が選択されると、路線選択画面がこの運賃案内画面に遷移する。
【００２６】
この発明の情報送受信システムを利用可能な端末は、携帯端末だけでなく、例えば自宅や会社のＰＣでもよい。会社のＰＣにメールを送信することにより、交通費精算に利用することもできる。また、送信メールの内容を暗号化し、端末により暗号化されたメールを復号化するようにしてもよい。
【００２７】
また、この発明の情報送受信システムによるメールの配信先は、一つでもよいし複数でもよい。つまり、同時に複数箇所にメールを配信するように設定することもできる。例えば、一つのメール配信先を利用者の端末に設定し、一つのメール配信先を会社の端末に設定することにより、利用者は自身の端末を介して運賃や所要時間を確認することができ、会社サイドでは会社の端末を介して社員の移動状況を確認することができる。
【００２８】
さらに、この発明の情報送受信システムを利用可能な端末は、ＩＣカード２と端末４の両機能を備えた乗車券機能付き端末（例えば携帯電話）でもよい。この場合、この乗車券機能付き端末で改札処理を受けることにより、この乗車券機能付き端末に対してメールが送信されるので、この乗車券機能付き端末で各種情報を確認することができる。
【００２９】
本発明の情報送受信システムによれば、以下の作用効果が得られる。
【００３０】
（１）入出場ゲート通過時（自動改札機２による改札処理時）に、入出場ゲート（自動改札機２）から構内ネットワークを経由してメール配信サーバへメール配信を要請し（識別情報等を通知し）、メール配信サーバから端末へメールを配信することにより、メールを受信した端末において事前にダウンロードしたアプリケーションプログラムにより利用者に有益な情報を提供することができる。
【００３１】
例えば、駅の自動改札機２がＩＣカード１による改札処理を実行した場合（利用者がＩＣカードにより自動改札機２を通過した場合）に、自動改札機２は、構内ネットワークを経由してメール配信サーバ３へＩＣカードの識別情報、入出場履歴情報、及び金額情報（残額情報）を送信する。メール配信サーバ３は、ＩＣカードの識別情報に基づきメール送信先アドレスを検索し、入出場履歴情報及び金額情報を示すメールを配信する。メールを受け取った端末は、どこの駅まで乗車可能であるかを表示する（金額情報により乗車可能な駅を表示する）。また、端末は、金額情報（残額情報）を表示する。また、端末は、各駅までの乗車所要時間を表示する。また、端末は、複数の路線のある駅での入場に対応して、路線選択を受け付け、選択された路線における各駅までの運賃及び乗車所要時間を表示する。また、端末は、入出場履歴情報を表示することもできる。
【００３２】
これにより、端末を介して利用者に対する有益な情報を提供することができる。利用者は、駅の自動改札機２を通過した後でも目的地までの運賃や所要時間が簡単に確認できる。利用者は、事前に運賃不足を知ることができ、自動改札機２を通過する前に精算処理を受けることができる。結果的に、自動改札機２を利用する利用者の流れをスムーズにすることができる。また、駅係員への問い合わせを低減させられるので、駅係員の業務効率の向上が期待できる。
【００３３】
（２）メール配信サーバからのメールを受信した端末において利用者に有益な情報を与えることができるソフトウェア（運賃検索アプリケーションプログラム）の提供に対して、課金することができる。
【００３４】
つまり、情報送受信システムの利用者（又は運用事業者）に対してソフトウェア（運賃検索アプリケーションプログラム）のライセンス料を課金することができる。また、情報送受信システムの利用者に対してメール配信毎に課金することもできる。なお、課金方法としては従量課金、月額固定課金どちらであってもよい。また、インターネット環境を利用して、情報送受信システムによるサービスの開始又は停止手続きができる。なお、情報送受信システムによる本サービスの開始又は停止手続きを窓口業務で受け付けるようにしてもよい。
【００３５】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【図面の簡単な説明】
【００３６】
【図１】本発明の一例に係る情報送受信システムの一例を示す図である。
【図２】メール配信サーバに対してメール送信の一時停止や再開を設定する画面の一例を示す図である。
【図３】メール配信サーバのメール配信先情報記憶部により管理されるメール配信先情報（メールアドレス登録テーブル）の一例を示す図である。
【図４】自動改札機とメール配信サーバとの間の情報の送受信を示すフローチャートである。
【図５】メール配信サーバと端末との間の情報の送受信を示すフローチャートである。
【図６】自動改札機の通信部がメール配信サーバへ送信する情報テーブルの一例を示す図である。
【図７】端末の表示部における路線選択画面の表示例を示す図である。
【図８】端末の表示部における運賃案内画面の表示例を示す図である。
【符号の説明】
【００３７】
１…ＩＣカード、２…自動改札機、３…メール配信サーバ、４…端末、１０１…ＩＣチップ、１０２…アンテナ、２０１…改札処理部、２０２…ＩＣカード用アンテナ、２０３…通信部、３０１…メール配信制御部、３０２…メール配信先情報記憶部、３０３…改札機用通信部、３０４…端末用通信部、４０１…通信部、４０２…操作入力部、４０３…表示部、４０４…アプリケーション記憶部、４０５…アプリケーション実行部
【図１】
2006039864.tif 000003
【図２】
2006039864.tif 000004
【図３】
2006039864.tif 000005
【図４】
2006039864.tif 000006
【図５】
2006039864.tif 000007
【図６】
2006039864.tif 000008
【図７】
2006039864.tif 000009
【図８】
2006039864.tif 000010